(57)【要約】【課題】高速ＰＣＩｅ信号伝送装置及びその制御方法を提供する。【解決手段】本発明は、高速ＰＣＩｅ信号伝送装置及びその制御方法に関するもので、コンピューター保存装置のデータを外部機器に伝送及び受信する装置において、前記保存装置のデータをＰＣＩエクスプレス（以下、ＰＣＩｅと言う）信号で受信し、これを光信号に変換して伝送するホストアダプタ（ｈｏｓｔ  ａｄａｐｔｅｒ）と、前記ホストアダプタから光信号を受信して電気信号に変換した後、該当外部機器連結装置に伝送する光電変換手段とを含んで構成した装置及びその制御方法を提供する。  コンピューター保存装置のデータをＰＣＩｅ信号に載せて光チャンネルを介して伝送することによって、近距離及び遠距離へのデータ伝送速度を向上させる効果が得られる。  また、本発明による高速ＰＣＩｅ信号伝送装置及びその制御方法によると、簡単な伝送装置を追加するだけで二重チャンネルまたは光信号ＵＳＢ方式に比べてデータ伝送効率が向上するという効果も得られる。【選択図】図１
2010045763.tif 000002
【特許請求の範囲】
【請求項１】
コンピューター保存装置のデータを外部機器に伝送及び受信する装置であって、
前記保存装置のデータをＰＣＩエクスプレス（以下、ＰＣＩｅと言う）信号で受信し、これを光信号に変換して伝送するホストアダプタ（ｈｏｓｔ  ａｄａｐｔｅｒ）と、
前記ホストアダプタから光信号を受信して電気信号に変換した後、該当外部機器連結装置に伝送する光電変換手段と、を含むことを特徴とする高速ＰＣＩｅ信号伝送装置。
【請求項２】
前記ホストアダプタ及び光電変換手段は、光チャンネル（ｆｉｂｅｒ  ｃｈａｎｎｅｌ）を介してデータを伝送及び受信することを特徴とする請求項１に記載の高速ＰＣＩｅ信号伝送装置。
【請求項３】
前記ホストアダプタは、
前記受信したＰＣＩｅ信号を光信号に変換して出力する電／光変換部と、
前記光電変換手段への信号伝送のための第１コネクターと、を含むことを特徴とする請求項１に記載の高速ＰＣＩｅ信号伝送装置。
【請求項４】
前記光電変換手段は、
前記ホストアダプタから外部にユーザ設定距離だけ離隔する第２コネクターと、
前記第２コネクターを介して受信した光信号を電気信号に変換して出力する光／電変換部と、
前記光／電変換部の出力を受信しその内容を解釈して伝送する外部機器を決定した後、一つまたは多数個の外部機器連結装置を介してデータを伝送する信号分配部と、を含むことを特徴とする請求項１に記載の高速ＰＣＩｅ信号伝送装置。
【請求項５】
前記第２コネクターは、ＵＳＢ形態で前記ホストアダプタに連結されていることを特徴とする請求項４に記載の高速ＰＣＩｅ信号伝送装置。
【請求項６】
前記信号分配部は、接続される外部機器のコントローラーを内蔵していることを特徴とする請求項４に記載の高速ＰＣＩｅ信号伝送装置。
【請求項７】
前記外部機器連結装置は、
前記ホストアダプタからの出力信号を外装ディスクドライブに伝送するためのディスコネクターを含むことを特徴とする請求項１に記載の高速ＰＣＩｅ信号伝送装置。
【請求項８】
前記外部機器連結装置は、
前記ホストアダプタからの出力信号を外部保存手段に伝送するための保存手段コネクターを含むことを特徴とする請求項７に記載の高速ＰＣＩｅ信号伝送装置。
【請求項９】
前記外部機器連結装置は、
前記ホストアダプタからの出力信号を外部機器に伝送するためのＩＥＥＥ１３９４インタフェース部を含むことを特徴とする請求項７に記載の高速ＰＣＩｅ信号伝送装置。
【請求項１０】
前記外部機器は、外装ディスクドライブ、ビデオディスクドライブ（ＶＤＤ）、ホームシアター（ｈｏｍｅ  ｔｈｅａｔｅｒ）、ＵＳＢメモリー、デジタルカメラ、スキャナ、プリンター、ＤＶＲ、ＤＶＤのうち何れか一つ以上であることを特徴とする請求項１に記載の高速ＰＣＩｅ信号伝送装置。
【請求項１１】
前記ＰＣＩｅ信号は、ＰＣＩエクスプレスカード装着によって発生する信号であることを特徴とする請求項１に記載の高速ＰＣＩｅ信号伝送装置。
【請求項１２】
前記ＰＣＩエクスプレスカードは、２乃至１６レーン（ｌａｎｅ）接続によって前記ホストアダプタに結合することを特徴とする請求項１１に記載の高速ＰＣＩｅ信号伝送装置。
【請求項１３】
前記ホストアダプタは、伝送するデータを保存したコンピューター内に位置し、前記光電変換手段は、データを受信する外部機器と前記ホストアダプタとの間に位置することを特徴とする請求項１に記載の高速ＰＣＩｅ信号伝送装置。
【請求項１４】
コンピューター保存装置のデータを外部機器に伝送及び受信する方法であって、
前記保存装置のデータをＰＣＩｅ信号に変換して伝送する信号変換ステップと、
前記ＰＣＩｅ信号を受信して光信号に変換した後、光チャンネル介して伝送する電光変換ステップと、
前記光チャンネルを介して受信した光信号を電気信号に変換した後、該当外部機器に伝送する光電変換ステップと、を含むことを特徴とする高速ＰＣＩｅ信号伝送制御方法。
【請求項１５】
前記光電変換ステップは、
前記電気信号に変換した後、その内容を解釈して伝送する外部機器を決定した後、一つまたは多数個の外部機器にデータを伝送するステップを含むことを特徴とする請求項１４に記載の高速ＰＣＩｅ信号伝送制御方法。
【請求項１６】
前記ＰＣＩｅ信号は、ＰＣＩエクスプレスカードによって発生する信号であることを特徴とする請求項１４に記載の高速ＰＣＩｅ信号伝送制御方法。
【発明の詳細な説明】
【技術分野】
【０００１】
本発明は、高速ＰＣＩｅ信号伝送装置及びその制御方法に関し、さらに詳しくは、データを光チャンネルを介してＰＣＩｅ信号で伝送する装置及び方法に関する。
【背景技術】
【０００２】
一般的にＰＣＩｅは、多数のＰＣＩ装置が一つの並列バスを共有することによって発生するボトルネック現象を解決するためのもので、並列バス方式の３２／６４ビットＰＣＩとは異なり２本の線路を利用して有効伝送速度２Ｇｂｐｓ（２５０ＭＢｙｔｅｓ／ｓ）の単方向伝送機能を提供する直列バスを使用する。従って、双方向の送受信時には、直列バス２個が組合された一つのレーン（ｌａｎｅ）で構成され、各方向に２Ｇｂｐｓの伝送速度を提供する。普通二つのＰＣＩｅ装置間の連結は、１、２、４、８、１２、１６または３２個のレーンで構成されており、例えば、１６個のレーン（ｘ１６）ＰＣＩｅカードの場合には、２５０＊１６＝４Ｇｂｙｔｅｓ／ｓの伝送を各方向に提供することができる。
【０００３】
最近、高速インタフェース技術として光チャンネル（ｆｉｂｅｒ  ｃｈａｎｎｅｌ）が広く利用されている。前記光チャンネルは、１９９８年標準案が用意られた技術であり、光ファイバを介したデータ伝送とシリアルインタフェースを利用した装置の間の連結を提供する。この光チャンネルを応用した技術には、保存領域ネットワーク（ＳＡＮ：ｓｔｏｒａｇｅ  ａｒｅａ  ｎｅｔｗｏｒｋ）がある。
【０００４】
このような保存領域ネットワークの一例が下記特許文献１に開示されている。
【０００５】
特許文献１に開示された技術は、二重役割光ディスクドライブに関するもので、デスクトップＰＣ（Ｄｅｓｋｔｏｐ  ＰＣ）に装着された光ディスクドライブ（ＯＤＤ：Ｏｐｔｉｃａｌ  Ｄｉｓｃ  Ｄｒｉｖｅ）をノート型パソコン（Ｎｏｔｅｂｏｏｋ  ＰＣ）のような外部機器において外装型（Ｅｘｔｅｒｎａｌ）光ディスクドライブとして使用できるようにすると記載されている。すなわち、特許文献１に開示された技術では、デスクトップＰＣに装着された光ディスクドライブに、ＡＴＡＰＩインタフェース（ＡＴＡＰＩ  Ｉ／Ｆ）をＵＳＢインタフェース（ＵＳＢ  Ｉ／Ｆ）に変換するためのブリッジボード（Ｂｒｉｄｇｅ  Ｂｏａｒｄ）と、ＵＳＢコネクター（Ｃｏｎｎｅｃｔｏｒ）と、そして役割変更スイッチ（Ｃｈａｎｇｅ  Ｒｏｌｅ  ＳＷ）とを設けることによって、ユーザがノート型パソコンのような外部機器を前記ＵＳＢコネクターに連結して、前記光ディスクドライブを外装型光ディスクドライブとして使用できるようにすると記載されている。
【０００６】
また、保存領域ネットワークの他の例が下記特許文献２に開示されている。
【０００７】
特許文献２に開示された技術は、光ＵＳＢ外部装置連結システムに関するもので、ＵＳＢ端子を具備した外部機器とデータを交換するためのホストコンピューターのＵＳＢ駆動装置において、外部機器のＵＳＢ端子と接続されて光信号によるデータ交換のための光ＵＳＢ端子と、前記光ＵＳＢ端子を介してデータを入出力するためのＵＳＢインタフェース部と、前記光ＵＳＢ端子とＵＳＢインタフェース部との間に位置して光信号と電気信号を相互変換する光電変換部とを含み、前記光電変換部は、光導波路によりお互いに連結され相互データが光信号により伝送されることによって、ＵＳＢシステムのデータ伝送速度を向上させる効果を提供すると記載されている。
【０００８】
しかし、前記特許文献１、２に開示された技術においては、光チャンネルを介して高速ＰＣＩｅ信号にデータを載せて伝送する技術を提供せず、二重チャンネルまたは光信号ＵＳＢ方式だけでデータを伝送するので、データ伝送速度の向上に限界があるという問題があった。
【特許文献１】大韓民国特許公開公報第２００８−０００８７２５号（２００８．０１．２４公開）
【特許文献２】大韓民国特許出願番号第２００８−００１７４１５号（２００８．０２．２６出願）
【発明の開示】
【発明が解決しようとする課題】
【０００９】
本発明は、前述した問題点に鑑みてなされたもので、その目的は、保存装置のデータをＰＣＩｅ信号に載せて光チャンネルを介して伝送することによって伝送速度を向上させる装置及び制御方法を提供することにある。
【課題を解決するための手段】
【００１０】
前記のような目的を達成するために、本発明の実施の形態による高速ＰＣＩｅ信号伝送装置は、コンピューター保存装置のデータを外部機器に伝送及び受信する装置において、前記保存装置のデータをＰＣＩエクスプレス（以下、ＰＣＩｅと言う）信号で受信し、これを光信号に変換して伝送するホストアダプタ（ｈｏｓｔ  ａｄａｐｔｅｒ）と、前記ホストアダプタから光信号を受信して電気信号に変換した後、該当外部機器連結装置に伝送する光電変換手段と、を含んで構成することができる。
【００１１】
また、本発明の実施の形態による高速ＰＣＩｅ信号伝送制御方法は、コンピューター保存装置のデータを外部機器に伝送及び受信する方法において、前記保存装置のデータをＰＣＩｅ信号に変換して伝送する信号変換ステップと、前記ＰＣＩｅ信号を受信して光信号に変換した後、光チャンネルを介して伝送する電光変換ステップと、前記光チャンネルを介して受信した光信号を電気信号に変換した後、該当外部機器に伝送する光電変換ステップと、を含む方法を提供する。
【発明の効果】
【００１２】
本発明による高速ＰＣＩｅ信号伝送装置及びその制御方法によると、コンピューター保存装置のデータをＰＣＩｅ信号に載せて光チャンネルを介して伝送することによって、近距離及び遠距離へのデータ伝送速度が向上する効果を得ることができる。
【００１３】
また、本発明による高速ＰＣＩｅ信号伝送装置及びその制御方法によると、簡単な伝送装置を追加するだけで二重チャンネルまたは光信号ＵＳＢ方式に比べてデータ伝送効率が向上するという效果も得ることができる。
【発明を実施するための最良の形態】
【００１４】
まず、本発明に対して簡略に説明する。コンピューター内に保存されているデータを伝送する連結標準として、一般的に最大４８０Ｍｂｐｓ（６０Ｍｂｙｔｅ）の伝送速度を提供するＵＳＢ（ｕｎｉｖｅｒｓａｌ  ｓｅｒｉａｌ  ｂｕｓ）が広く利用されているが、コンピューターのホストチップセット速度の制限によって４０〜４８Ｍｂｙｔｅのみが伝送されるので、高品質のビデオストリーミングなどを提供（例えば、ストリーミング装備がシングルストリーミングだけでなく録画と再生のような機能も提供）するには十分ではない。従って、十分な伝送帯域幅を有し、転移（ｍｉｇｒａｔｉｏｎ）をより容易にせねばならず、既存のアプリケーションとドライブを変更することなく作動できるように互換性を満たす代替連結標準が必要である。
【００１５】
従って、ＰＣＩｅは、このような条件を満たしているので、本発明では保存装置のデータをＰＣＩｅ信号に載せて伝送すると共にディスクミラーリング（ｄｉｓｋ  ｍｉｒｒｏｒｉｎｇ）、バックアップ, 永久保管及び永久保管用データ検索、保存装置間データ移動、ネットワーク内の相異するサービス間のデータ共有をも支援するために光チャンネルを介して前記ＰＣＩｅ信号を伝送する方法を提案しようとする。
【００１６】
以下、本発明の属する技術の分野における通常の知識を有する者が本発明を容易に行い得るように、本発明の最も好ましい実施の形態を添付図面に基づいて詳細に説明する。また、本発明の説明において同一の部分には同一の符号を付してその反復説明は省略する。
【００１７】
図１は、本発明の実施の形態による高速ＰＣＩｅ信号伝送装置の構成を簡略に示す図である。
【００１８】
図１を参照すると、前記高速ＰＣＩｅ信号伝送装置は、２乃至８レーン（ｌａｎｅ）接続によってホストアダプタ１００に結合するエクスプレスカード２００と、前記エクスプレスカード２００から受信したＰＣＩｅ信号を光信号に変換して出力する電／光変換部１１０及び外部機器への信号伝送のための第１コネクター１２０を含むホストアダプタ１００と、前記ホストアダプタ１００の第１コネクター１２０と連結されユーザ設定距離だけ離隔する第２コネクター３１０、前記第２コネクター３１０を介して受信した光信号を電気信号に変換して出力する光／電変換部３２０、前記光／電変換部３２０の出力を受信してその内容を解釈し伝送する外部機器を決めた後、一つまたは多数個の外部機器連結装置３４０を介してデータを伝送する信号分配部３３０を含む光電変換手段３００とで構成される。ここで、前記信号分配部３３０は、接続する外部機器のコントローラーを内蔵し、ＦＰＧＡなどを利用して具現されることができる。
【００１９】
また、前記ホストアダプタ１００及び光電変換手段３００は、光チャンネル（ｆｉｂｅｒ  ｃｈａｎｎｅｌ）を介したデータの伝送及び受信を提供する。
【００２０】
また、前記光電変換手段３００の第２コネクター３１０は、遠距離の連結だけでなくＵＳＢ形態で提供されることができるため、前記ホストアダプタ１００に直接接続が可能である。
【００２１】
また、外部機器連結装置３４０は、各種外部機器への連結が可能であるように、ディスクコネクター３４０ａ、ＩＥＥＥ１３９４インタフェース部３４０ｂ及び保存手段コネクター３４０ｃを含む。
【００２２】
また、前記ホストアダプタ１００は伝送するデータを保存したコンピューター内に位置し、前記光電変換手段３００はデータを受信する外部機器と前記ホストアダプタ１００との間に位置するため、前記光電変換手段３００の外部機器連結装置３４０は、連結しようとする外部機器の数及び種類によって、その個数が追加されることもある。
【００２３】
このように構成した本発明の実施の形態による動作過程を添付図面を参照して説明する。
【００２４】
図２は、本発明の実施の形態による高速ＰＣＩｅ信号の伝送過程を示すフローチャートである。
【００２５】
図２を参照すると、先ず伝送しようとするコンピューター保存装置（図示せず）のデータをＰＣＩｅカードによってＰＣＩｅ信号に変換してホストアダプタ１００に伝送する（Ｓ１００）。この時、前記ＰＣＩｅカード２００は、４レーン接続によってホストアダプタ１００に接続されており、前記レーン数は支援しようとする帯域幅によって調整する。例えば、支援しようとする帯域幅が１Ｇｂｙｔｅｓ／ｓの場合には４レーン接続が必要であるが、２Ｇｂｙｔｅｓ／ｓの帯域幅が必要な場合には８レーン接続で構成する。
【００２６】
前記ステップ１００によるＰＣＩｅ信号を前記ホストアダプタ１００で受信すると、これを電／光変換部１１０で光信号に変換した後、光チャンネルを介して伝送する（Ｓ２００、Ｓ３００）。
【００２７】
この時、前記光チャンネルは、ポイントツーポイント（ｐｏｉｎｔ−ｔｏ−ｐｏｉｎｔ）、調停ループ（ａｒｂｉｔｒａｔｅｄ  ｌｏｏｐ）及びクロスポイント（ｃｒｏｓｓ  ｐｏｉｎｔ）の三種類のトポロジー（ｔｏｐｏｌｏｇｙ）を支援するので、前記連結されたホストアダプタ１００と光電変換手段３００との間の連結を提供する。
【００２８】
また、前記ホストアダプタ１００は、光チャンネルを介して近距離または遠距離の光電変換手段３００にデータをファイル単位ではなくブロック単位で伝送をするため、外部機器への高速データ伝送が可能になる。
【００２９】
以後、前記光チャンネルを介して前記光電変換手段３００の光/電変換部３２０は、受信した光信号を電気信号に再度変換（Ｓ４００）した後、該当外部機器に伝送する。この時、前記電気信号に変換した後、接続する外部機器のコントローラーを内蔵した信号分配部３３０で電気信号の内容を解釈して伝送する外部機器を決定する（Ｓ５００）。その後、外部機器連結装置３４０を介して一つまたは多数個の外部機器（例えば、外装ディスクドライブ、ビデオディスクドライブ（ＶＤＤ）、ホームシアター（ｈｏｍｅ  ｔｈｅａｔｅｒ）、ＵＳＢメモリー、デジタルカメラ、スキャナ、プリンター、ＤＶＲ、ＤＶＤなど）にデータを伝送する（Ｓ６００）。これは多数の装置間の同時接続と同時使用を可能にするためである。
【００３０】
以上、発明を前記実施の形態によって具体的に説明したが、本発明は前記実施の形態に限定されず、その要旨を逸脱しない範囲で多様な変更が可能である。
【図面の簡単な説明】
【００３１】
【図１】本発明の実施の形態による高速ＰＣＩｅ信号伝送装置の構成を簡略に示す図である。
【図２】本発明の実施の形態による高速ＰＣＩｅ信号の伝送過程を示すフローチャートである。
【符号の説明】
【００３２】
１００  ホストアダプタ
１１０  電／光変換部
１２０  第１コネクター  
２００  ＰＣＩｅカード
３００  光電変換手段
３１０  第２コネクター
３２０  光／電変換部
３３０  信号分配部
３４０  外部機器連結装置 
３４０ａ  ディスクコネクター
３４０ｂ  ＩＥＥＥ  １３９４インタフェース部
３４０ｃ  保存手段コネクター
【図１】
2010045763.tif 000003
【図２】
2010045763.tif 000004